(57)【要約】【課題】簡単な構造で端子を保持する保持力を向上するコネクタを提供する。【解決手段】被覆電線９０の被覆部９１に圧着された被覆圧着部３１を有する端子３が、ハウジング２の端子収容孔５に開口５ａを通して挿入配置される。リテーナ４が、ハウジング２に位置決め保持される本体部からリテーナ装着方向に突出する複数の区画壁６０を含む。区画壁６０は、互いの間に被覆部９１を受け入れる受入凹部７０を区画する。被覆部９１が、被覆圧着部３１側に向かって外径ｄが縮径された縮径部９１ａを含む。リテーナ装着方向に沿って見て縮径部９１ａと被覆圧着部３１の端部３１ａとによって端子挿入方向Ｘ１に向かって拡がる楔状空間Ｓが形成される。区画壁６０が、楔状空間Ｓに嵌合される楔形凸部６２を含む。楔形凸部６２の係止部６２ａが、被覆圧着部３１の端部３１ａに係止し、端子３が端子収容孔５から開口５ａ側へ抜脱されることを規制する。【選択図】図８
2020024866.tif 000002
【特許請求の範囲】
【請求項１】
端子挿入方向に延び前記端子挿入方向と直交する幅方向に並ぶ端子収容孔が形成され、各前記端子収容孔が、前記端子挿入方向の反対方向である端子抜脱方向に開放された開口を有するハウジングと、
複数の被覆電線の端部の被覆部にそれぞれ圧着された被覆圧着部を含み、前記開口側から各端子収容孔に挿入配置された複数の端子と、
前記ハウジングに対して前記端子挿入方向及び前記幅方向に対して直交するリテーナ装着方向に装着可能なリテーナであって、前記ハウジングに位置決め保持された本体部を含むリテーナと、を備え、
各前記被覆電線の前記被覆部が、前記被覆圧着部に対して前記端子抜脱方向に隣接し且つ前記被覆圧着部側に向かって外径が縮径された縮径部を含み、
前記リテーナ装着方向に沿って見て前記縮径部と前記縮径部に隣接する前記被覆圧着部の端部とによって前記端子挿入方向に向かって拡がる楔状空間が形成され、
前記リテーナが、前記本体部から前記リテーナ装着方向に突出する複数の区画壁であって、互いの間に前記被覆電線の前記被覆部を受け入れる受入凹部を区画する複数の区画壁を含み、
各前記区画壁が、前記リテーナ装着方向に沿って見て前記端子挿入方向に向かって拡がる楔形断面を有し、前記楔状空間に前記リテーナ装着方向に嵌合された楔形凸部であって、前記被覆圧着部の前記端部に係止することにより、前記端子が前記端子収容孔から前記開口側へ抜脱されることを規制する係止部を有する楔形凸部を含む、コネクタ。
【請求項２】
請求項１に記載のコネクタにおいて、
前記複数の区画壁が、前記幅方向に隣接する被覆電線間に介在する介在区画壁を含み、  前記介在区画壁が、前記幅方向に隣接する受入凹部間を仕切る仕切り部と、前記仕切り部から前記幅方向に隣接する受入凹部側へそれぞれ突出する一対の楔形凸部と、を含む、コネクタ。
【請求項３】
請求項１又は２に記載のコネクタにおいて、
前記ハウジングが、前記端子挿入方向と直交し、前記開口を形成する第１外壁面を含み、
前記リテーナの本体部が、前記第１外壁面に沿わされた第１面を含み、
前記第１面が前記第１外壁面に沿わされた状態で、前記リテーナが、前記ハウジングに対して前記端子挿入方向に位置決めされている、コネクタ。
【請求項４】
請求項１〜３の何れか一項に記載のコネクタにおいて、
前記ハウジングが、前記リテーナ装着方向と直交する第２外壁面を含み、
前記リテーナの前記本体部が、前記ハウジングの前記第２外壁面に対向する第２面を含み、
前記ハウジングの前記第２外壁面及び前記リテーナの前記第２面の少なくとも一方に、嵌合凹部が形成され、他方に、前記嵌合凹部に対して前記リテーナ装着方向に嵌合された嵌合凸部が形成され、
前記嵌合凹部と前記嵌合凸部との嵌合によって、前記リテーナが、前記ハウジングに対して前記端子抜脱方向に位置決めされている、コネクタ。
【請求項５】
請求項１〜４の何れか一項に記載のコネクタにおいて、
前記リテーナが、前記本体部の前記幅方向の一対の端部に支持部を介してそれぞれ支持され前記リテーナ装着方向に延びる一対のアーム本体と、各前記アーム本体の先端部に形成され、前記ハウジングの対応する係止突起に係合可能な係合爪と、を有する一対のロックアームを含み、
前記ハウジングが、前記ロックアームの前記アーム本体を前記リテーナ装着方向に案内することにより、前記楔形凸部を前記楔状空間に案内する案内部を含む、コネクタ。
【発明の詳細な説明】
【技術分野】
【０００１】
本発明は、コネクタに関する。
【背景技術】
【０００２】
特許文献１に開示されるコネクタでは、電線の端部を圧着した端子が、ハウジングの端子挿入孔（端子収容孔）に後方から前方（端子挿入方向）に挿入されている。ハウジングの後部に配置されたリテーナ（端子係止部材）が、端子挿入方向に変位されると、該リテーナの弾性変形可能な係止片（ランスに相当）の先端部が、端子において電線の被覆部に圧着されたインシュレーションバレル（被覆圧着部に相当）や電線の芯線に圧着されたワイヤーバレル（導体圧着部に相当）よりも前方に配置された端子係止部に対して係止される。これにより、端子の抜け止めが図られている。
【先行技術文献】
【特許文献】
【０００３】
【特許文献１】実開平６−３６２３５号公報
【発明の概要】
【発明が解決しようとする課題】
【０００４】
しかしながら、リテーナに、長尺で弾性変形可能なランスを設けるため、構造が複雑になる。
そこで、本願発明者は、図１０の参考形態に示すように、電線１００の長手方向から装着されたリテーナ１０１の係止部１０２が、リテーナ１０１の弾性変形を伴わずに、端子１０３の後端部１０３ａ（電線１００の被覆部１０４を圧着するインシュレーションバレル１０５の後端部１０５ａに相当）に係止する構造を想定する。
【０００５】
その場合、係止部１０２と端子１０３の後端部１０３ａとの係合代ｅが小さくなる。このため、ハウジング１０６に対して端子１０３を抜け止め状態に保持する保持力が低下する。
本発明の目的は、簡単な構造で端子を保持する保持力を向上することができるコネクタを提供することである。
【課題を解決するための手段】
【０００６】
請求項１に記載の発明は、端子挿入方向（Ｘ１）に延び前記端子挿入方向と直交する幅方向（Ｗ）に並ぶ端子収容孔（５）が形成され、各前記端子収容孔が、前記端子挿入方向の反対方向である端子抜脱方向（Ｘ２）に開放された開口（５ａ）を有するハウジング（２）と、複数の被覆電線（９０）の端部（９０ａ）の被覆部（９１）にそれぞれ圧着された被覆圧着部（３１）を含み、前記開口側から各端子収容孔に挿入配置された複数の端子（３）と、前記ハウジングに対して前記端子挿入方向及び前記幅方向に対して直交するリテーナ装着方向（Ｙ）に装着可能なリテーナ（４）であって、前記ハウジングに位置決め保持された本体部（４０）を含むリテーナと、を備え、各前記被覆電線の前記被覆部が、前記被覆圧着部に対して前記端子抜脱方向に隣接し且つ前記被覆圧着部側に向かって外径（ｄ）が縮径された縮径部（９１ａ）を含み、前記リテーナ装着方向に沿って見て前記縮径部と前記縮径部に隣接する前記被覆圧着部の端部（３１ａ）とによって前記端子挿入方向に向かって拡がる楔状空間（Ｓ）が形成され、前記リテーナが、前記本体部から前記リテーナ装着方向に突出する複数の区画壁（６０）であって、互いの間に前記被覆電線の前記被覆部を受け入れる受入凹部（７０）を区画する複数の区画壁を含み、各前記区画壁が、前記リテーナ装着方向に沿って見て前記端子挿入方向に向かって拡がる楔形断面を有し、前記楔状空間に前記リテーナ装着方向に嵌合された楔形凸部（６２）であって、前記被覆圧着部の前記端部に係止することにより、前記端子が前記端子収容孔から前記開口側へ抜脱されることを規制する係止部（６２ａ）を有する楔形凸部を含む、コネクタ（１）を提供する。
【０００７】
なお、括弧内の英数字は、後述する実施形態における対応構成要素等を表すが、このことは、むろん、本発明がそれらの実施形態に限定されるべきことを意味するものではない。以下、この項において同じ。
請求項２に記載の発明のように、前記複数の区画壁が、前記幅方向に隣接する被覆電線間に介在する介在区画壁（６０Ｋ）を含み、前記介在区画壁が、前記幅方向に隣接する受入凹部間を仕切る仕切り部（６１）と、前記仕切り部から前記幅方向に隣接する受入凹部側へそれぞれ突出する一対の楔形凸部（６２）と、を含んでいてもよい。
【０００８】
請求項３に記載の発明のように、前記ハウジングが、前記端子挿入方向と直交し、前記開口を形成する第１外壁面（２８ａ）を含み、前記リテーナの本体部が、前記第１外壁面に沿わされた第１面（４１ｂ）を含み、前記第１面が前記第１外壁面に沿わされた状態で、前記リテーナが、前記ハウジングに対して前記端子挿入方向に位置決めされていてもよい。
【０００９】
請求項４に記載の発明のように、前記ハウジングが、前記リテーナ装着方向と直交する第２外壁面（２５ａ）を含み、前記リテーナの前記本体部が、前記ハウジングの前記第２外壁面に対向する第２面（４３ａ）を含み、前記ハウジングの前記第２外壁面及び前記リテーナの前記第２面の少なくとも一方に、嵌合凹部（８０）が形成され、他方に、前記嵌合凹部に対して前記リテーナ装着方向に嵌合された嵌合凸部（４４）が形成され、前記嵌合凹部と前記嵌合凸部との嵌合によって、前記リテーナが、前記ハウジングに対して前記端子抜脱方向に位置決めされていてもよい。
【００１０】
請求項５に記載の発明のように、前記リテーナが、前記本体部の前記幅方向の一対の端部に支持部（４５）を介してそれぞれ支持され前記リテーナ装着方向に延びる一対のアーム本体（５１）と、各前記アーム本体の先端部（５１ａ）に形成され、前記ハウジングの対応する係止突起に係合可能な係合爪（５２）と、を有する一対のロックアーム（５０）を含み、前記ハウジングが、前記ロックアームの前記アーム本体を前記リテーナ装着方向に案内することにより、前記楔形凸部を前記楔状空間に案内する案内部（２２，２３）を含んでいてもよい。
【発明の効果】
【００１１】
請求項１に記載の発明では、組立時において、ハウジングに対してリテーナ装着方向に装着されたリテーナが、ハウジングによって位置決め保持される。リテーナの装着に伴って、被覆電線の被覆部が、受入凹部に受け入れられつつ、リテーナの区画壁に設けられた楔形凸部が、被覆電線の縮径部と端子の被覆圧着部の端部との間に形成された楔状空間に嵌合される。楔状空間に嵌合された楔形凸部の係止部が、被覆圧着部の端部に係止することにより、端子が、端子収容孔から端子抜脱方向へ抜脱されることが規制される。端子挿入方向に向かって広くなる楔状空間に嵌合される楔形凸部を用いる簡単な構造で、楔形凸部の係止部と被覆圧着部の端部との係合代を大きく確保することができ、端子の保持力を向上することができる。
【００１２】
請求項２に記載の発明では、区画壁のうち、隣接する被覆電線間に介在する介在区画壁が、隣接する受入凹部間を仕切る仕切り部と、該仕切り部から両側の受入凹部側に突出する一対の楔形凸部とを含む。このため、隣接する被覆電線間の間隔が狭い場合にも、楔形凸部の係止部と被覆圧着部の端部との係合代を十分な大きさで確保して、端子の保持力を向上することができる。
【００１３】
請求項３に記載の発明では、ハウジングの第１外壁面にリテーナの本体部の第１面が沿わされた状態で、リテーナが、端子挿入方向に精度良く位置決めされる。このため、リテーナの楔形凸部を介して端子の位置決め精度を向上することができる。
請求項４に記載の発明では、ハウジングの第２外壁面及びリテーナの本体部の第２面の少なくとも一方に形成された嵌合凹部と、他方に形成された嵌合凸部との嵌合によって、リテーナが、ハウジングによって端子抜脱方向に強固に位置決め保持される。このため、リテーナを介して、端子を抜け止め保持する保持力を格段に高くすることができる。
【００１４】
請求項５に記載の発明では、ハウジングの案内部によってリテーナ装着方向に案内される一対のロックアームを介して、リテーナの楔形凸部を楔状空間に円滑に案内することができる。
【図面の簡単な説明】
【００１５】
【図１】図１（ａ）は、本発明の一実施形態に係るコネクタの斜視図であり、図１（ｂ）は、コネクタの分解斜視図である。
【図２】図２（ａ）は、リテーナが装着されていない状態のコネクタの断面図であり、図２（ｂ）は、リテーナが装着された状態のコネクタの断面図である。
【図３】図３（ａ）は、ハウジングの斜め前方からの斜視図であり、図３（ｂ）は、ハウジングの斜め後方からの斜視図である。
【図４】図４（ａ）は、ハウジングの正面図であり、図４（ｂ）は、ハウジングの左側面図である。図４（ｃ）は、ハウジングの断面図であり、図４（ａ）のＩＶａ−ＩＶａ断面図に相当する。
【図５】図５（ａ）は、リテーナの平面図であり、図５（ｂ）は、リテーナの正面図であり、図５（ｃ）は、リテーナの底面図である。
【図６】図６は、リテーナの斜視図である。
【図７】図７は、リテーナの断面図であり、図５（ｂ）のＶＩＩ−ＶＩＩ断面図に相当する。
【図８】図８（ａ）は、リテーナが装着されていない状態のコネクタの要部の概略断面図である。図８（ｂ）は、リテーナが装着された状態のコネクタの要部の概略断面図である。
【図９】図９（ａ），（ｂ）は、リテーナの装着工程を順次に示すコネクタの概略断面図である。
【図１０】図１０は、参考形態のコネクタの要部の模式的断面図である。
【発明を実施するための形態】
【００１６】
以下、本発明を具体化した実施形態を図面に従って説明する。
図１（ａ）は、本発明の一実施形態に係るコネクタ１の斜視図であり、図１（ｂ）は、コネクタ１の分解斜視図である。図１（ａ），（ｂ）に示すように、コネクタ１は、ハウジング２と、ハウジング２内に収容保持された複数の端子３と、ハウジング２に位置決め保持されるリテーナ４とを備える。
【００１７】
図２（ａ）は、リテーナ４が装着されていない状態のコネクタ１の断面図であり、図２（ｂ）は、リテーナ４が装着された状態のコネクタ１の断面図である。
図２（ａ）に示すように、各端子３は、対応する被覆電線９０の端部９０ａに圧着された状態で、ハウジング２に収容保持されている。ハウジング２は、略直方体形状のハウジング本体２０と、一対の係止突起２１（図３（ａ），（ｂ）を参照）と、案内部としての各一対の案内リブ２２，２３と、ロック板２４とを備えている。
【００１８】
図２（ａ）に示すように、ハウジング本体２０には、複数の端子３をそれぞれ収容する複数の端子収容孔５が形成されている。複数の端子収容孔５は、該端子収容孔５に対して端子３が挿入される方向である端子挿入方向Ｘ１に延びている。また、複数の端子収容孔５は、端子挿入方向Ｘ１と直交する幅方向Ｗに並んで配置されている。リテーナ４は、図１（ｂ）に示すように、端子挿入方向Ｘ１と幅方向Ｗとに直交する方向であるリテーナ装着方向Ｙに沿って、ハウジング２に装着される。
【００１９】
図２（ａ）に示すように、各端子収容孔５は、第１開口５ａと第２開口５ｂとを有している。端子３は、第１開口５ａを通して端子収容孔５内に挿入配置される。すなわち、端子収容孔５の第１開口５ａは、端子挿入方向Ｘ１の反対方向である端子抜脱方向Ｘ２に開放されている。図示しない相手方のコネクタの相手方コンタクトが、第２開口５ｂを通して端子３と接触される。
【００２０】
各端子３は、被覆電線９０の被覆部９１に圧着された被覆圧着部３１と、被覆部９１の端部から露出する芯線等の導体部９２に圧着された導体圧着部３２と、相手方コンタクトに接続されるソケット状のコンタクト部３３とを含む。
被覆圧着部３１は、第１開口５ａに近接して配置されている。コンタクト部３３は、第２開口５ｂに近接して配置されている。導体圧着部３２は、被覆圧着部３１とコンタクト部３３との間に配置されている。
【００２１】
図８（ａ）は、リテーナ４が装着されていない状態のコネクタ１の要部の概略断面図である。図２（ａ）及び図８（ａ）に示すように、被覆電線９０の被覆部９１が、被覆圧着部３１に対して端子抜脱方向Ｘ２に隣接し且つ被覆圧着部３１側に向かって外径ｄが次第に縮径された縮径部９１ａを含む。紙面と直交する方向（リテーナ装着方向Ｙに相当）に沿って見て、傾斜状の縮径部９１ａと縮径部９１ａに隣接する被覆圧着部３１の端部３１ａとによって、端子挿入方向Ｘ１に向かって拡がる楔状空間Ｓが形成されている。
【００２２】
図１（ｂ）に示すように、リテーナ４は、本体部４０と、一対の支持部４５と、一対のロックアーム５０とを備えている。リテーナ４は、図１（ａ）に示すようにハウジング２によって位置決め保持された状態で、図２（ｂ）に示すように、各端子３を位置決めし且つ抜け止め保持する機能を果たす。
図１（ｂ）に示すように、リテーナ４の本体部４０は、リテーナ装着方向Ｙに突出する複数の区画壁６０を含む。複数の区画壁６０は、幅方向Ｗに並んで配置されている。複数の区画壁６０は、互いの間に、対応する被覆電線９０の被覆部９１を受け入れる受入凹部７０を区画している。
【００２３】
図２（ｂ）に示すように、複数の区画壁６０は、幅方向Ｗの両端に配置される一対の端部区画壁６０Ｅと、幅方向Ｗに隣接する被覆電線９０間に介在する介在区画壁６０Ｋとを含む。以下では、端部区画壁６０Ｅと介在区画壁６０Ｋとを総称して言うときは、単に区画壁６０と言う。各区画壁６０は、対応する楔状空間Ｓに嵌合される楔形凸部６２を含む。
【００２４】
リテーナ４の本体部４０は、図１（ａ）に示すように、ハウジング２に装着された状態で、ハウジング本体２０に対して位置決め保持される。一対のロックアーム５０は、ハウジング２の一対の係止突起２１に引っ掛け係止されることにより、リテーナ４をリテーナ装着方向Ｙにロックする。
次いで、ハウジング２について説明する。図３（ａ）は、ハウジング２の斜め前方からの斜視図であり、図３（ｂ）は、ハウジング２の斜め後方からの斜視図である。図４（ａ）は、ハウジング２の正面図であり、図４（ｂ）は、ハウジング２の左側面図である。図４（ｃ）は、ハウジング２の断面図であり、図４（ａ）のＩＶｃ−ＩＶｃ断面図に相当する。
【００２５】
図３（ａ），（ｂ）及び図４（ａ）に示すように、ハウジング本体２０は、前壁２５と、後壁２６と、一対の側壁２７と、天壁２８と、底壁２９とを含む。天壁２８の外面である第１外壁面２８ａは、端子挿入方向Ｘ１と直交する面である。第１外壁面２８ａは、リテーナ４を端子挿入方向Ｘ１に位置決めする位置決め部として機能する。
図３（ａ）に示すように、第１外壁面２８ａには、各端子収容孔５の第１開口５ａが形成されている。複数の端子収容孔５の第１開口５ａは、第１外壁面２８ａにおいて、幅方向Ｗに並んで配置されている。
【００２６】
図４（ａ），（ｃ）に示すように、前壁２５の外面である第２外壁面２５ａは、リテーナ装着方向Ｙと直交する面である。第２外壁面２５ａには、図４（ａ）に示すように、幅方向Ｗに長手に延び、図４（ｃ）に示すように、矩形断面を有する嵌合凹部８０が形成されている。
図９（ａ）は、ハウジング２に対してリテーナ４を装着する過程を示す分解断面図である。図９（ａ）に示すように、嵌合凹部８０は、底部８０ａと、上内壁面８０ｂと、下内壁面８０ｃとにより区画されている。嵌合凹部８０の上内壁面８０ｂは、端子挿入方向Ｘ１と直交し、端子挿入方向Ｘ１に向く。上内壁面８０ｂは、リテーナ４が端子抜脱方向Ｘ２に変位することを規制する規制部として機能する。
【００２７】
図３（ａ）に示すように、後壁２６及び一対の側壁２７の上部は、第１外壁面２８ａよりも上方へ突出されている。図９（ｂ）に示すように、リテーナ４の装着状態で、複数の各被覆電線９０が、後壁２６の内壁面２６ｂとリテーナ４との間に配置される。
図３（ａ），（ｂ）及び図４（ａ）に示すように、一対の係止突起２１のそれぞれは、対応する側壁２７の外壁面２７ａに突出形成されている。一対の係止突起２１は、リテーナ４の一対のロックアーム５０を引っ掛け係止することにより、ハウジング２に対してリテーナ４をロックする。
【００２８】
各一対の案内リブ２２，２３は、各側壁２７の外壁面２７ａから幅方向Ｗの外側に突出形成され、対応する係止突起２１を上下に挟んで配置されてリテーナ装着方向Ｙに平行に延びている。一対の側壁２７の上部の内壁面２７ｂは、リテーナ４を幅方向Ｗに位置決めする位置決め部として機能する。
図３（ｂ）及び図４（ｃ）に示すように、ロック板２４は、後壁２６の外壁面２６ａに対向して配置された板状の部材である。ロック板２４は、一端２４ａと、他端２４ｂと、一端２４ａと他端２４ｂとの間に配置された被支持部２４ｃと、一端２４ａに配置されたフック２４１と、他端２４ｂに配置された操作部２４２とを含む。
【００２９】
被支持部２４ｃが、後壁２６の外壁面２６ａに突出形成された支持部２６ｃの端部２６ｄと連結されている。ロック板２４は、支持部２６ｃの端部２６ｄを中心として、シーソー状に弾性的に揺動変位される。フック２４１は、相手方コネクタの係止突起に係止される。操作部２４２は、相手方コネクタの係止突起に対するフック２４１の係止を解除するときに操作される。
【００３０】
次いで、リテーナ４について説明する。図５（ａ）は、リテーナ４の平面図であり、図５（ｂ）は、リテーナ４の正面図であり、図５（ｃ）は、リテーナ４の底面図である。図６は、リテーナ４の斜視図である。図７は、リテーナ４の断面図であり、図５（ｂ）のＶＩＩ−ＶＩＩ断面図に相当する。
図５（ａ）〜（ｃ）及び図６を参照して、リテーナ４は、本体部４０と、本体部４０から幅方向Ｗの両側に突出する一対の支持部４５と、対応する支持部４５によって支持された一対のロックアーム５０とを含む。
【００３１】
図６及び図７に示すように、本体部４０は、略矩形断面の第１ブロック４１と、第１ブロック４１の下方に突出する横向きのＴ字形の第２ブロック４２とを含む。
第１ブロック４１は、上面４１ａと、底面４１ｂ（第１面）と、リテーナ装着方向Ｙ側の前面４１ｃと、前面４１ｃの反対側の後面４１ｄとを含む。第２ブロック４２は、第１ブロック４１の底面４１ｂから下方（端子挿入方向Ｘ１）に突出形成され、幅方向Ｗに延びるリブ４３と、リブ４３からリテーナ装着方向Ｙに突出する嵌合凸部４４とを含む。
【００３２】
リテーナ４の装着状態で、図９（ｂ）に示すように、リテーナ４の第１ブロック４１の底面４１ｂ（第１面）が、ハウジング２の第１外壁面２８ａに沿わされて、リテーナ４がハウジング２に対して端子挿入方向Ｘ１に位置決めされる。
図７に示すように、リブ４３は、リテーナ装着方向Ｙ側の面である前面４３ａ（第２面）と、第１ブロック４１の後面４１ｄと面一に連続する後面４３ｂとを含む。嵌合凸部４４は、リブ４３の前面４３ａ（第２面）から突出し、幅方向Ｗに延びている。リテーナ４の装着状態で、図９（ｂ）に示すように、リテーナ４の第２ブロック４２の前面４３ａ（第２面）が、ハウジング２の第２外壁面２５ａに沿わされることにより、リテーナ４が、ハウジング２に対してリテーナ装着方向Ｙに位置決めされる。
【００３３】
第１ブロック４１の前面４１ｃは、区画壁６０と受入凹部７０とを幅方向Ｗに交互に配置している。幅方向Ｗに隣接する区画壁６０間に、受入凹部７０が区画されている。図５（ａ）、図６及び図７に示すように、受入凹部７０の内面は、底側の凹状の円弧面部７１と、円弧面部７１からリテーナ装着方向Ｙに延びる直線状部７２とを含む。
図５（ｂ）及び図８（ｂ）に示すように、介在区画壁６０Ｋは、幅方向Ｗに隣接する受入凹部７０間を仕切る仕切り部６１と、仕切り部６１から幅方向Ｗに隣接する受入凹部７０側へそれぞれ突出する一対の楔形凸部６２とを含む。一方、端部区画壁６０Ｅは、受入凹部７０側へ突出する唯一の楔形凸部６２を設けている点で、介在区画壁６０Ｋとは異なる。また、端部区画壁６０Ｅの仕切り部６１は、受入凹部７０と外部とを仕切る。
【００３４】
楔形凸部６２は、リテーナ装着方向Ｙに沿って見て端子挿入方向Ｘ１に向かって拡がる楔形断面を有している。楔形凸部６２は、図８（ａ），（ｂ）に示すように、楔状空間Ｓにリテーナ装着方向Ｙに嵌合される。楔形凸部６２は、被覆圧着部３１の端部３１ａに係止することにより、端子３が端子収容孔５から第１開口５ａ側へ抜脱されることを規制する係止部６２ａを含む。楔形凸部６２の係止部６２ａが、端子３の被覆圧着部３１の端部３１ａに係止することにより、端子３が端子抜脱方向Ｘ２に抜脱されることが規制される。
【００３５】
図５（ａ）、図６及び図７に示すように、平面視で（すなわち端子挿入方向Ｘ１に沿って見て）、楔形凸部６２は、受入凹部７０の内面の直線状部７２に沿ってリテーナ装着方向Ｙに直線状に延びる直線状部６２ｂと、直線状部６２ｂから延び、受入凹部７０の内面の円弧面部７１の一部に沿う円弧状部６２ｃとを含む。受入凹部７０の底には、楔形凸部６２は設けられていない。
【００３６】
図５（ａ）〜（ｃ）に示すように、各ロックアーム５０は、対応する支持部４５の先端部４５ａからリテーナ装着方向Ｙに延びるアーム本体５１と、アーム本体５１の先端部５１ａから内向きに突出するフック状の係合爪５２とを含む。アーム本体５１は、対応する支持部４５の先端部４５ａを支点として、幅方向Ｗに弾性的に揺動変形可能である。
アーム本体５１は、略矩形断面をなしている。アーム本体５１は、リテーナ装着方向Ｙに延びる一対の被案内面５３，５４を含む。一方の被案内面５３は、アーム本体５１の上面に相当し、他方の被案内面５４は、アーム本体５１の下面に相当する。
【００３７】
リテーナ４をハウジング２に対してリテーナ装着方向Ｙに装着するときに、図１（ｂ）に示すように、ロックアーム５０のアーム本体５１が、一対の案内リブ２２，２３によってリテーナ装着方向Ｙに案内される。具体的には、リテーナ４のアーム本体５１の被案内面５３が、ハウジング２の案内リブ２２によって案内され、リテーナ４のアーム本体５１の被案内面５４が、ハウジング２の案内リブ２３によって案内される。
【００３８】
案内リブ２２，２３は、ロックアーム５０のアーム本体５１をリテーナ装着方向Ｙに案内することにより、リテーナ４の区画壁６０の楔形凸部６２を楔状空間Ｓに案内する機能を果たす。
本実施形態によれば、組立時において、図９（ａ），（ｂ）に示すように、ハウジング２に対してリテーナ装着方向Ｙに装着されたリテーナ４が、ハウジング２によって位置決め保持される。リテーナ４の装着に伴って、被覆電線９０の被覆部９１が、リテーナ４の受入凹部７０に受け入れられつつ、図８（ｂ）に示すように、リテーナ４の区画壁６０に設けられた楔形凸部６２が、被覆電線９０の被覆部９１の縮径部９１ａと端子３の被覆圧着部３１の端部３１ａとの間に形成された楔状空間Ｓ［図８（ａ）も参照］に嵌合される。
【００３９】
図８（ｂ）に示すように、楔状空間Ｓに嵌合された楔形凸部６２の係止部６２ａが、被覆圧着部３１の端部３１ａに係止することにより、端子３が、端子収容孔５から端子抜脱方向Ｘ２へ抜脱されることが規制される。端子挿入方向Ｘ１に向かって広くなる楔状空間Ｓに嵌合される楔形凸部６２を用いる簡単な構造で、楔形凸部６２の係止部６２ａと被覆圧着部３１の端部３１ａとの係合代ｅを大きく確保することができ、端子３の保持力を向上することができる。
【００４０】
また、区画壁６０のうち、隣接する被覆電線９０間に介在する介在区画壁６０Ｋが、隣接する受入凹部７０間を仕切る仕切り部６１と、該仕切り部６１から両側の受入凹部７０側に突出する一対の楔形凸部６２とを含む。このため、隣接する被覆電線９０間の間隔が狭い（いわゆる狭ピッチである）場合にも、楔形凸部６２の係止部６２ａと被覆圧着部３１の端部３１ａとの係合代ｅを十分な大きさで確保して、端子３の保持力を向上することができる。
【００４１】
また、図９（ｂ）に示すように、ハウジング２のハウジング本体２０の第１外壁面２８ａにリテーナ４の本体部４０の第１面（第１ブロック４１の底面４１ｂ）が沿わされた状態で、リテーナ４が、端子挿入方向Ｘ１に精度良く位置決めされる。このため、リテーナ４の楔形凸部６２を介して端子３の位置決め精度を向上することができる。
また、ハウジング２のハウジング本体２０の第２外壁面２５ａに形成された嵌合凹部８０と、リテーナ４の本体部４０の第２面（第２ブロック４２のリブ４３の前面４３ａ）に形成された嵌合凸部４４との嵌合によって、リテーナ４が、ハウジング２によって端子抜脱方向Ｘ２に強固に位置決め保持される。このため、リテーナ４を介して、端子３を抜け止め保持する保持力を格段に高くすることができる。
【００４２】
また、組立時において、ハウジング２の案内リブ２２，２３によってリテーナ装着方向Ｙに案内される一対のロックアーム５０を介して、図８（ｂ）に示すように、リテーナ４の楔形凸部６２を楔状空間Ｓに円滑に案内することができる。
本発明は、前記実施形態に限定されるものではなく、例えば図示していないが、リテーナ４の本体部４０の第２面（第２ブロック４２のリブ４３の前面４３ａ）に嵌合凹部が形成され、ハウジング２のハウジング本体２０の第２外壁面２５ａに前記嵌合凹部に嵌合する嵌合凸部が設けられてもよい。
【００４３】
また、リテーナ４によって端子３を保持する保持力が向上されるため、ハウジング２において、端子３を係止するハウジングランスは、設けられていてもよいし、設けられていなくてもよい。
その他、本発明は、特許請求の範囲記載の範囲内で種々の変更を施すことができる。
【符号の説明】
【００４４】
１  コネクタ
２  ハウジング
３  端子
４  リテーナ
５  端子収容孔
５ａ  第１開口
２１  係止突起
２２，２３  案内リブ
２５ａ  第２外壁面
２８ａ  第１外壁面
３１  被覆圧着部
３１ａ  端部
４０  本体部
４１ｂ  底面（第１面）
４３ａ  前面（第２面）
４４  嵌合凸部
５０  ロックアーム
５１  アーム本体
５２  係合爪
６０  区画壁
６０Ｋ  介在区画壁
６１  仕切り部
６２  楔形凸部
６２ａ  係止部
７０  受入凹部
８０  嵌合凹部
９０  被覆電線
９０ａ  端部
９１  被覆部
９１ａ  縮径部
ｄ  外径
ｅ  係合代
Ｓ  楔状空間
Ｗ  幅方向
Ｘ１  端子挿入方向
Ｘ２  端子抜脱方向
Ｙ  リテーナ装着方向
【図１】
2020024866.tif 000003
【図２】
2020024866.tif 000004
【図３】
2020024866.tif 000005
【図４】
2020024866.tif 000006
【図５】
2020024866.tif 000007
【図６】
2020024866.tif 000008
【図７】
2020024866.tif 000009
【図８】
2020024866.tif 000010
【図９】
2020024866.tif 000011
【図１０】
2020024866.tif 000012